【事件の表示】
　平成１１年特許願第３３６１６７号「テープキャリヤパッケージおよびこれを用いた液晶表示器モジュール」拒絶査定不服審判事件〔平成１２年　７月１４日出願公開、特開２０００−１９５８９８〕について、次のとおり審決する。
【結　論】
　本件審判の請求は、成り立たない。
【理　由】
１．手続の経緯
　本願は、平成１１年１１月２６日の出願（パリ条約による優先権主張　１９９８年１１月２７日　（ＫＲ）大韓民国）であって、平成２１年５月１３日付けの拒絶理由の通知がなされ、同年８月１８日付けの手続補正がなされ、同年９月１０日付けで拒絶査定がなされ、平成２２年１月１５日に拒絶査定不服審判が請求されるとともに、同日付けの手続補正がなされ、前置審査において、平成２２年４月９日付けの拒絶理由の通知がなされ、同年７月９日付けの手続補正がなされ、さらに、当審において、平成２３年３月８日付けの拒絶理由（以下「当審拒絶理由」という。）の通知がなされ、これに対して、同年５月２７日付けの手続補正がなされたものである。
　
　
２．本願発明
　本願の請求項１〜２０に係る発明は、平成２３年５月２７日付けの手続補正書により補正された特許請求の範囲の請求項１〜２０に記載された事項により特定されるとおりのものであるところ、その請求項１に係る発明（以下「本願発明」という。）は、次のとおりのものであると認める。
　
「【請求項１】
　液晶表示パネルと駆動用印刷回路基板とを接続する折畳み式のテープキャリヤパッケージであって，
　絶縁性物質からなる柔軟性の第１フィルムと，
　前記第１フィルムの上に形成された多数の入力伝導性リード線および多数の出力伝導性リード線と，
　前記多数の入力伝導性リード線と電気的に接続される多数の入力端子、および前記多数の出力伝導性リード線と電気的に接続される多数の出力端子を有する半導体チップと，
　前記多数の入力伝導性リード線と前記多数の出力伝導性リード線とが，両端部から所定の長さだけ露出するように前記多数の入力伝導性リード線および前記多数の出力伝導性リード線を覆う絶縁性の第２フィルムとを備え，
　前記多数の出力伝導性リード線のピッチは同一であり，
　前記多数の出力伝導性リード線の少なくとも片側の側縁部に位置した，少なくとも１つの選択されたリード線は，前記第２フィルムによって露出された部分の第１の選択位置から前記第２フィルムとオーバーラップされる境界部を通った第２の選択位置まで，前記選択されないリード線の第１幅より広い第２幅を有する部分，および前記第２幅を有する部分と離れて前記多数の出力端子の反対側に位置し，前記多数の出力伝導性リード線の整列のための整列マーク部分を含み，
　前記少なくとも１つの選択されたリード線が含む前記第２幅を有する部分は，外側に位置することを特徴とするテープキャリヤパッケージ。」
　
　
３．引用刊行物
（１）当審拒絶理由で引用した本願の優先日前に日本国内において頒布された刊行物である特開平１０−２９４３３２号公報（当審拒絶理由における引用文献１である。以下「刊行物１」という。）には、図面とともに次の事項が記載されている。
　
（１ａ）「【０００２】
【従来の技術】従来のテープキャリアパッケージ（ＴＣＰ）は図５に示されるように、ポリイミドからなるベースフィルム１上に銅箔が貼着されたテープ状の接続端子であり、駆動用ＩＣ４とＬＣＤパネル及びプリント基板との接続に折り曲げて使用されていた。２は折曲部、３はレジスト、５は出力端子である。 
【０００３】ＬＣＤパネルの端子部に接続されるＴＣＰの出力端子５は、長さ方向に平行に等ピッチ、等幅で２４０本から３２０本程度並んでいる。最近の狭ピッチ製品では、ピッチ７０μｍで端子幅が４０μｍ程度にまで狭小化が進んでいる。
【０００４】図３は、折曲げて使用されるＴＣＰの実装状態を示す断面図であって、ＴＣＰは折曲部２で折曲げられ、出力端子５がＬＣＤパネル７に、入力端子６がプリント基板８に異方性導電フィルム９を介して接続され、ＬＣＤパネル７とプリント基板８とによりバックライト１０を挾み込む構造となっていた。」（【０００２】〜【０００４】）
 　 
（１ｂ）「【００１８】（実施形態１）図１は、本発明の実施形態１に係るテープキャリアテープを示す平面図である。
【００１９】図において、ＴＣＰのベースフィルム１は、矩形状に成形されており、両端部に出力端子５と入力端子６とが設けられている。出力端子５と入力端子６とは、外部回路との接続に用いられるものであって、ベースフィルム１の周縁部に平行に列状に設けられている。
【００２０】またベースフィルム１には、駆動用ＩＣ４が搭載され、駆動用ＩＣ４の入力側電極は、ベースフィルム１の配線（図示略）を介して入力端子６に接続されている。
【００２１】またベースフィルム１は、出力端子５側に２本の折曲げ部２，２が打ち抜かれ、折曲げ部２の箇所で屈曲するようになっており、出力端子５と駆動用ＩＣ４の出力側電極とがベースフィルム１の配線（図示略）を介して接続されている。
【００２２】ベースフィルム１の配線は、ベースフィルム１上に接着剤層を介して形成された銅箔によるものであって、出力端子５側の配線は、折曲げ部２を横切って配線され、折曲げ部２の箇所で屈曲される。また、端子５，６及び折曲げ部２以外の表面はレジスト３で覆われており、また端子５，６及び折曲げ部２を横切る配線表面には、Ｓｎメッキが施されている。
【００２３】さらに本発明の実施形態１において、出力端子５は、その幅寸法が列の中央部より両端側にかけて徐々に広幅に設定して補強を施したものである。また本発明の実施形態１では、ＴＣＰの外形寸法を従来と同じにするため、列の中央部での出力端子５のピッチ及び幅を従来よりも若干狭く設定している。
【００２４】本発明の実施形態１に係るテープキャリアパッケージは図３に示すように、従来と同様な取付姿勢で実装されるが、図４に示すように、幅寸法の異なる出力端子５に対応して同一幅のパネル端子１３をＬＣＤパネル７に設置し、対応する出力端子５とパネル端子１３との間を異方性導電フィルム９を介して接続させている。・・・・」（【００１８】〜【００２４】）
　
（１ｃ）「【００３０】（実施形態２）図２は、本発明の実施形態２を示す平面図である
【００３１】図１に示す実施形態１では、各出力端子５の全体の幅寸法を変化させたが、出力端子５は、必ずしも全体を補強する必要がない場合もあり、特に補強する箇所、例えば、根本部、或いは先端部等の特定箇所のみを補強すれば、よい場合もある。
【００３２】そこで、本発明の実施形態２では、各端子５について、補強を必要とする箇所５ａのみの幅寸法を変化させて補強処理を施したものである。具体的には、出力端子５のレジスト３側付近の箇所５ａのみを幅広に形成し、残りの箇所は４０μｍ幅とした。・・・・」（【００３０】〜【００３２】）
　
　次に、上記摘記事項について検討する。
（ア）摘記事項（１ｂ）の「配線（図示略）を介して入力端子６に接続されている。」（【００２０】）、「出力端子５と・・・・配線（図示略）を介して接続されている。」（【００２１】）及び「端子５，６及び折曲げ部２以外の表面はレジスト３で覆われており」（【００２２】）との記載によると、出力端子５に接続されている配線と入力端子６に接続されている配線は、レジストで覆われた部分を有することは明らかである。
　
（イ）摘記事項（１ｃ）に「出力端子５のレジスト３側付近の箇所５ａのみを幅広に形成し、残りの箇所は４０μｍ幅とした。」（【００３２】）と記載され、また、図２に示された出力端子５のレジスト３側付近の箇所５ａの形状によると、箇所５ａに続く出力端子に接続されている配線のレジストに覆われた部分は、箇所５ａと同様に幅広に形成されていると見るのが自然であるから、箇所５ａの部分は、「レジストによって露出された部分の第１の選択位置から前記レジストとオーバーラップされる境界部を通った第２の選択位置まで，前記選択されない端子の第１幅より広い第２幅を有する部分」であるといえる。 
　
　
　したがって、摘記事項（１ａ）ないし（１ｃ）を本願発明の記載ぶりに則して整理すると、刊行物１に記載された実施形態２について、刊行物１には、次の発明（以下「刊行物１発明」という。）が記載されている。
「ＬＣＤパネルとプリント基板とを接続する折り曲げて使用されるテープキャリヤパッケージであって，
　ポリイミドからなるベースフィルムと，
　前記ベースフィルムの上に形成された多数の入力端子及びその各々に接続されている配線および多数の出力端子及びその各々に接続されている配線と，
　前記多数の入力端子と電気的に接続される多数の入力側電極、および前記多数の出力端子及びその各々に接続されている配線と電気的に接続される多数の出力側電極を有する駆動用ＩＣと，
　前記多数の入力端子及びその各々に接続されている配線と前記多数の出力端子及びその各々に接続されている配線とが，両端部から所定の長さだけ露出するように前記多数の入力端子及びその各々に接続されている配線および前記多数の出力端子及びその各々に接続されている配線を覆うレジストとを備え，
　前記多数の出力端子及びその各々に接続されている配線の少なくとも片側の側縁部に位置した，少なくとも１つの選択された端子及びそれに接続されている配線は，前記レジストによって露出された部分の第１の選択位置から前記レジストとオーバーラップされる境界部を通った第２の選択位置まで，前記選択されない端子及びそれに接続されている配線の第１幅より広い第２幅を有する部分を含むテープキャリヤパッケージ。」
　
　
（２）当審拒絶理由で引用した本願の優先日前に日本国内において頒布された刊行物である特開平８−１５２６４６号公報（当審拒絶理由における引用文献２である。以下「刊行物２」という。）には、図面とともに次の事項が記載されている（下線は、当審において付した。）。
　
（２ａ）「【００２５】次に、本実施例にて用いる液晶駆動用ＴＡＢ（第２の回路基板）２７の構造について、特にＴＡＢ側マーク（第２の位置合せマーク）２９，…の構造について、図５に沿って説明する。
【００２６】この液晶駆動用ＴＡＢ２７は、従来のものとほぼ同様の構造であり、ベースフィルム部（基板）２７ａと、入力端子（不図示）と、出力端子（電極）２７ｃ，…と、これらの端子の間に実装された液晶駆動用ＩＣ（駆動用半導体素子、同じく不図示）と、によって構成されている。・・・・そして、
最外側の出力端子２７ｃ，２７ｃには、それぞれＴＡＢ側マーク２９，２９が連設されている。
　
　
４．対比 
　次に、本願発明と刊行物１発明を対比する。
　
（ア）刊行物１発明における「ＬＣＤパネル」、「プリント基板」、「折り曲げて使用されるテープキャリヤパッケージ」、「ポリイミドからなるベースフィルム」、「入力端子及びその各々に接続されている配線」及び「出力端子及びその各々に接続されている配線」は、本願発明における「液晶表示パネル」、「駆動用印刷回路基板」、「折畳み式のテープキャリヤパッケージ」、「絶縁性物質からなる柔軟性の第１フィルム」、「入力伝導性リード線」及び「出力伝導性リード線」にそれぞれ相当する。
　
（イ）本願発明における「絶縁性の第２フィルム」には、本願明細書の段落【００１６】及び【００２４】に記載された「ソルダーレジスト３０」が該当するから、刊行物１発明における「レジスト」は、本願発明における「絶縁性の第２フィルム」に相当する。
　
（ウ）ＩＣ（集積回路）は半導体チップ（半導体素子）を備えたものであるから、ＴＣＰ（テープキャリアパッケージ）の駆動用ＩＣも駆動用半導体素子を有している。そして、ＴＣＰにおける半導体素子及び入出力の目的からみて、刊行物１発明における「駆動用ＩＣ」は、本願発明における「半導体チップ」に相当する。
　
（エ）刊行物１の摘記事項（１ｂ）の「またベースフィルム１には、駆動用ＩＣ４が搭載され、駆動用ＩＣ４の入力側電極は、ベースフィルム１の配線（図示略）を介して入力端子６に接続されている。」（【００２０】）との記載によると、刊行物１発明の「入力端子及びその各々に接続されている配線」は、駆動用ＩＣの「入力側電極」に接続されている。また、同摘記事項（１ｂ）の「・・・出力端子５と駆動用ＩＣ４の出力側電極とがベースフィルム１の配線（図示略）を介して接続されている。」（【００２１】）との記載によると、刊行物１発明の「出力端子及びその各々に接続されている配線」は、駆動用ＩＣの「出力側電極」に接続されている。
　これに対し、本願発明における「入力伝導性リード線」及び「出力伝導性リード線」は、半導体チップの「入力端子」及び「出力端子」にそれぞれ接続されている。
　よって、刊行物１発明における駆動用ＩＣの「入力側電極」及び「出力側電極」は、本願発明における半導体チップの「入力端子」及び「出力端子」にそれぞれ相当する。
　
　
　したがって、両者は、「液晶表示パネルと駆動用印刷回路基板とを接続する折畳み式のテープキャリヤパッケージであって，
　絶縁性物質からなる柔軟性の第１フィルムと，
　前記第１フィルムの上に形成された多数の入力伝導性リード線および多数の出力伝導性リード線と，
　前記多数の入力伝導性リード線と電気的に接続される多数の入力端子、および前記多数の出力伝導性リード線と電気的に接続される多数の出力端子を有する半導体チップと，
　前記多数の入力伝導性リード線と前記多数の出力伝導性リード線とが，両端部から所定の長さだけ露出するように前記多数の入力伝導性リード線および前記多数の出力伝導性リード線を覆う絶縁性の第２フィルムとを備え，
　前記多数の出力伝導性リード線の少なくとも片側の側縁部に位置した，少なくとも１つの選択されたリード線は，前記第２フィルムによって露出された部分の第１の選択位置から前記第２フィルムとオーバーラップされる境界部を通った第２の選択位置まで，前記選択されないリード線の第１幅より広い第２幅を有する部分を含むテープキャリヤパッケージ。」である点で一致し、次の相違点を有する。
　
　
（１）相違点１
　多数の出力伝導性リード線の少なくとも片側の側縁部に位置した，少なくとも１つの選択されたリード線について、本願発明では「第２幅を有する部分と離れて多数の出力端子の反対側に位置し，多数の出力伝導性リード線の整列のための整列マーク部分を含」むものであるが、刊行物１発明は、出力端子の整列のための整列マーク部分に関する事項は記載されていない点。
　
（２）相違点２
　多数の出力伝導性リード線の少なくとも片側の側縁部に位置した，少なくとも１つの選択されたリード線における、前記選択されないリード線の第１幅より広い第２幅を有する部分について、本願発明では「少なくとも１つの選択されたリード線が含む前記第２幅を有する部分は，外側に位置する」ものであるのに対し、刊行物１発明は、出力端子及びそれに接続されている配線の幅が広くなる方向について明記されていない点。
　
（３）相違点３
　本願発明では「多数の出力伝導性リード線のピッチは同一であ」るのに対し、刊行物１発明である刊行物１の実施形態２には、出力端子及びその各々に接続されている配線のピッチについて、列の中央部が若干狭く設定されている点。
　
　
５．判断
　次に、相違点について検討する。
　
（１）相違点１について
　刊行物２には、「液晶駆動用ＴＡＢ（第２の回路基板）２７の構造について、特にＴＡＢ側マーク（第２の位置合せマーク）２９，…の構造について、図５に沿って説明する。」（【００２５】）及び「最外側の出力端子２７ｃ，２７ｃには、それぞれＴＡＢ側マーク２９，２９が連設されている。」（【００２６】）との記載があり、かつ、図５に、ＴＡＢ側マーク２９が最外側の出力端子２７ｃの外側である様子が示されており、刊行物２には、液晶駆動用ＴＡＢにおいて、位置合せマークを最外側の出力端子の外側である、多数の出力端子の反対側に位置するように設けたものが記載されている。
　ここで、液晶駆動用ＴＡＢについては、刊行物２の摘記事項（２ａ）の「この液晶駆動用ＴＡＢ２７は、・・・・、ベースフィルム部（基板）２７ａと、入力端子（不図示）と、出力端子（電極）２７ｃ，…と、これらの端子の間に実装された液晶駆動用ＩＣ（駆動用半導体素子、同じく不図示）と、によって構成されている。」（【００２６】）と記載され、「ＴＣＰ」とは、一般に、「ＴＡＢ技術によってアセンブリされた半導体パッケージの総称・・・現在，市場に流通しているものには大きく分けると，・・・・　ＬＣＤ（liquid crystal display：液晶ディスプレイ）ドライバ用パッケージ，の三つのタイプがある」（半導体用語大辞典編集委員会編、「半導体用語大辞典」、日刊工業新聞社、１９９９年３月２０日、ｐ．１６１−１６２）とされているから、刊行物２記載の上記液晶駆動用ＴＡＢは、液晶駆動用ＴＣＰであることは明らかである。
　そうすると、刊行物１発明において、位置合せのために整列マークを最外側の出力端子の外側である、多数の出力端子の反対側に位置するように設けることは、刊行物２の記載から、当業者が容易になし得る事項である。また、第２幅を有する部分と離して設けることは、マークの機能を考慮すれば、当業者が当然行う事項である。
　
（２）相違点２について
　刊行物１の摘記事項（１ｃ）の「・・・・本発明の実施形態２では、各端子５について、補強を必要とする箇所５ａのみの幅寸法を変化させて補強処理を施したものである。具体的には、出力端子５のレジスト３側付近の箇所５ａのみを幅広に形成・・・・した。・・・・」（【００３２】）と記載されるように、刊行物１発明の目的は、出力端子の幅広に形成して出力端子を補強するものであり、補強の観点からすると、端子を幅広に形成する方向は内側外側のどちらでも可能であり、いずれの方向にするかは、適宜に設定できる設計的事項にすぎない。
　したがって、刊行物１発明において、多数の出力端子の少なくとも片側の側縁部に位置した少なくとも１つの出力端子が含む幅広に形成された部分を、外側に位置する事項を付加することは、端子と端子の間よりも端子の外側の方向が、空間的に余裕があることを考慮すれば、当業者が容易になし得る事項である。
　
（３）相違点３について
　液晶表示装置において、駆動用ＩＣを搭載するテープチップキャリアのアウターリードの端子ピッチを同一にすることは、下記周知文献１及び２にも記載されたように従来から周知の事項である。また、本願明細書には、多数の出力伝導性リード線のピッチを同一にすることによる作用・効果等の記載がなく、その技術的意義も明らかでない。
　したがって、刊行物１発明において、出力端子のピッチを同一のものとすることは当業者が適宜なし得る事項であり、そのことによる作用・効果も当業者が予測する程度のものにすぎない。
　
　なお、審判請求人は、平成２３年５月２７日付けの意見書の（１−２−１）において、『これに対して、引用文献１に記載の発明は、例えば引用文献１の段落００２３に「さらに本発明の実施形態１において、出力端子５は、その幅寸法が列の中央部より両端側にかけて徐々に広幅に設定して補強を施したものである。また本発明の実施形態１では、ＴＣＰの外形寸法を従来と同じにするため、列の中央部での出力端子５のピッチ及び幅を従来よりも若干狭く設定している。」と記載されているように、“ＴＣＰ外形寸法を従来と同じようにするために、列の中央部においてのピッチを狭く設定する”ものです。・・・・』と主張している。
　しかし、刊行物１の段落【００１６】に「・・・・【作用】・・・・本発明では、列の中央部の出力端子より列の両端側に位置する出力端子の幅を広げて該出力端子を補強し、列の位置に関係なく、各出力端子に加わる応力分布をほぼ均一にしている。このように端子幅を列の中心部から外側に離れるにつれて幅広に変更させたため、特定の端子に大きな力がかかることはなくなり、接続部の断線が起きにくくなる。」と記載されるとおり、刊行物１発明は、「列の位置に関係なく」応力分布を均一にするために、端子幅を列の中心部から外側に離れるにつれて幅広に補強したものであり、補強の観点では、列のピッチと関係しないものである。また、段落【００２３】には、列の中央部において「ピッチ及び幅を従来よりも若干狭く設定している」との記載はあるが、そのように設定をする目的は、「外形寸法を従来と同じにする」ことにあり、補強とは別の事情によるものである。よって、補強のために幅広にする目的からすれば、列の中央部におけるピッチの設定は適宜行われる設計的事項にすぎない。
　よって、審判請求人の上記主張により上記容易性の判断を変更する必要はない。
　
　
周知文献１：特開平９−６４１０７号公報（下線は、当審において付した。）
（周１−１）「【００１８】
【実施例】
（実施例１）図１は本発明の実施例１によるＴＣＰテープを示す平面図で、図２は図１のＡ−Ａ断面図である。本実施例のＴＣＰテープ１は、例えばポリイミドからなる幅約４０ｍｍ、厚さ約８０μｍの帯状の絶縁性テープ２に、一定間隔で複数の長方形状のデバイスホール３が形成され、各デバイスホール３の長手方向の両側には各々複数のリード４、５が一体に形成されている。また、絶縁性テープ２の両側には、巻取り用のガイドホール６が形成されているとともに、各リード４、５の下方にはリードホール７が形成されている。
【００１９】・・・・
【００２０】・・・・一方、
各アウターリード
各ピッチは等しく約１．６ｍｍに設定されている
　
（周１−２）「【００５０】本実施例による半導体集積回路装置１１は、特に半導体チップ１２の両側に形成される各リード４、５のパターンは異なっている。このような半導体集積回路装置１１は、次に示すような用途に適用して効果的となる。
【００５１】図１７はその一例を示すもので、
半導体集積回路装置１１をＬＣＤ（Ｌｉｑｕｉｄ  Ｃｒｙｓｔａｌ  Ｄｅｖｉｃｅ；液晶装置）１６の水平方向および垂直方向の基板１７に配置して、ＬＣＤ駆動用素子として用いた例を示している。
　
　
周知文献２：特開平１−１６８０３７号公報（下線は、当審において付した。）
（周２）「（５）他の問題点として液晶テレビ等の駆動端子と電気的な接続を図るのに実施するアウターリードボンディングがある。と言うのは、ガラス基板の端部に所定のピッチで設置する駆動用端子は
テープキャリアに同一ピッチで形成したアウターリードボンディング端子
　
（４）　よって、本願発明は、刊行物１発明、刊行物２に記載された事項、及び、周知事項に基いて当業者が容易に発明をすることができたものである。
　
６．むすび 
　したがって、本願の請求項１に係る発明は、刊行物１発明、刊行物２に記載された事項、及び、周知事項に基いて当業者が容易に発明をすることができたものであるから、特許法第２９条第２項の規定により特許を受けることができない。
　以上のとおり、本願の請求項１に係る発明は特許を受けることができないものであるから、他の請求項に係る発明について検討するまでもなく、本願は拒絶すべきものである。
　よって、結論のとおり審決する。